(57)【要約】      （修正有）【課題】瓶体等を収容する際に瓶体等の胴部に貼着された表示ラベルの損傷を防止することができる仕切体を提供する。【解決手段】縦仕切板２と横仕切板３とを起立状態で互いに交差させ、縦仕切板２の一部による仕切壁２ａと横仕切板３の一部による仕切壁３ａとで形成される平面視矩形状の区画部により箱の内部を区画する仕切体１において、各区画部を形成している仕切壁２ａ，３ａの上端部に、互いに交わる方向に傾斜する一対の傾斜縁８ａからなるＶ字状の切欠き８を設ける。切欠き８は、両傾斜縁８ａが交わる底部を仕切壁２ａ，３ａの上端部の中央に位置させて設ける。【選択図】図１
0003164922.tif 000002
【実用新案登録請求の範囲】
【請求項１】
縦仕切板と横仕切板とを起立状態で互いに交差させ、縦仕切板の一部による仕切壁と横仕切板の一部による仕切壁とで形成される平面視矩形状の区画部により箱の内部を区画する仕切体において、
各区画部を形成している前記仕切壁の上端部に、互いに交わる方向に傾斜する一対の傾斜縁からなるＶ字状の切欠きが設けられ、
該切欠きは、両傾斜縁が交わる底部が仕切壁の上端部の中央に位置することを特徴とする仕切体。
【請求項２】
前記切欠きは、前記仕切壁の上端の全長にわたって形成されていることを特徴とする請求項１記載の仕切体。
【考案の詳細な説明】
【技術分野】
【０００１】
本考案は、箱の内部を複数に区画する仕切体に関し、特に、胴部に表示ラベル等が貼着された瓶体等を収容するのに用いられる仕切体に関する。
【背景技術】
【０００２】
一般に、瓶体等の物品を複数配列して箱内に収納するとき、隣り合う物品同士が互いに接触して損傷することのないように、箱内を格子状に区画する仕切体が用いられる（例えば特許文献１参照）。
【０００３】
一般に、この種の仕切体は、段ボール板紙によって形成された縦仕切板と横仕切板とを互いに交差させて平面視井桁状に組むことによって形成される。
【０００４】
具体的には、例えば、縦仕切板には、鉛直方向に延びる複数の第１切欠部が所定幅を存して形成されており、また、横仕切板には、前記縦仕切板の各第１切欠部に対応する位置で鉛直方向に延びる複数の第２切欠部が形成されている。前記縦仕切板の第１切欠部は、前記横仕切板の数に対応して形成されており、前記横仕切板の第２切欠部は、前記縦仕切板の数に対応して形成されている。そして、前記縦仕切板と前記横仕切板とは、前記第１切欠部と前記第２切欠部とが互いに係合された状態で組み立てられる（例えば特許文献２参照）。
【先行技術文献】
【特許文献】
【０００５】
【特許文献１】実開昭５４−２１０３２号公報（第９図）
【特許文献２】実開昭５９−９９９１９号公報（第２図）
【考案の概要】
【考案が解決しようとする課題】
【０００６】
ところで、この種の仕切体の各区画部に円柱状又は角柱状の瓶体等を収容するとき、瓶体等の胴部に内容物を表示するための表示ラベルが貼着されている場合に、表示ラベルの下端縁部が、縦仕切板の上端縁或いは横仕切板の上端縁に引っ掛かることがあり、これによって、表示ラベルに捲れや皺付き等が生じる不都合がある。
【０００７】
上記の点に鑑み、本考案は、瓶体等を収容する際に瓶体等の胴部に貼着された表示ラベルの損傷を防止することができる仕切体を提供することを目的とする。
【課題を解決するための手段】
【０００８】
かかる目的を達成するために、本考案は、縦仕切板と横仕切板とを起立状態で互いに交差させ、縦仕切板の一部による仕切壁と横仕切板の一部による仕切壁とで形成される平面視矩形状の区画部により箱の内部を区画する仕切体において、各区画部を形成している前記仕切壁の上端部にＶ字状の切欠きが設けられ、該切欠きは、その底部が仕切壁の上端部の中央に位置することを特徴とする。
【０００９】
本考案の仕切体によれば、胴部に表示ラベルが貼着された円柱状の瓶体を区画部に収容するとき、表示ラベルの下縁がＶ字状の切欠きの傾斜縁に接するので引っ掛かることがない。これにより、表示ラベルに捲れや皺付き等を発生させることなく、瓶体を区画部に収容することができる。
【００１０】
更に、本考案においては、前記切欠きを、前記仕切壁の上端の全長にわたって形成することにより、胴部に表示ラベルが貼着された瓶体が円柱状と角柱状との何れであっても、区画部に収容する際に表示ラベルの下縁をＶ字状の切欠きの傾斜縁に接触させることができ、表示ラベルの捲れや皺付き等を防止することができる。
【図面の簡単な説明】
【００１１】
【図１】本考案の実施形態の仕切体を示す斜視図。
【図２】（ａ）は縦仕切板の形状を示す図、（ｂ）は横仕切板の形状を示す図。
【図３】本実施形態の仕切体における切欠きの作用を示す説明図。
【図４】切欠きの変形例を示す図。
【考案を実施するための形態】
【００１２】
本考案の一実施形態を図面に基づいて説明する。本実施形態の仕切体１は、図１に示すように、前後方向を長さ方向とする段ボール製の板材からなる１枚の縦仕切板２と、左右方向を長さ方向とする段ボール製の板材からなる４枚の横仕切板３とが起立した状態で互いに交差して組み立てられている。
【００１３】
仕切体１は、図示しない段ボール箱に収容されて箱内を区画することにより、箱内に１０個の区画部を形成する。各区画部は、縦仕切板２の一部による縦仕切壁２ａと、横仕切板３の一部による横仕切壁３ａとにより、平面視正方形となるように形成されている。そして、調味料或いは飲料等を内容物とする瓶体１０（図３に胴部１１を示す）が各区画部毎に１つずつ収容される。
【００１４】
前記縦仕切板２には、図２（ａ）に示すように、上端縁から下方に延びる４つの第１係合スリット４が長さ方向に所定間隔を存して形成されている。第１係合スリット４には、その一部に突起５が形成されている。
【００１５】
また、前記横仕切板３は、図２（ｂ）に示すように、下端縁から上方に延びる第２係合スリット６が、長さ方向の中央部に形成されている。第２係合スリット６から所定距離を存した上方位置には、前記第１係合スリット４の突起５が挿通して係止する係止孔７が形成されている。
【００１６】
そして、図１に示すように、縦仕切板２と各横仕切板３とは、縦仕切板２の各第１係合スリット４と各横仕切板３の第２係合スリット６とにより互いに係合されて組み立てられている。このとき、縦仕切板２の第１係合スリット４に形成されている突起５が、横仕切板３に形成されている係止孔７の下縁に係止して縦仕切板２からの横仕切板３の外れが防止される。
【００１７】
ここで、図２（ａ）及び図２（ｂ）に示すように、縦仕切板２及び各横仕切板３には、Ｖ字状の切欠き８が形成されている。各切欠き８は、前記各区画部を形成している縦仕切壁２ａと横仕切壁３ａとの上端部において、互いに交わる方向に傾斜する一対の傾斜縁８ａにより形成されている。そして、各切欠き８は、両傾斜縁８ａが交わる底部８ｂが、縦仕切壁２ａと横仕切壁３ａとの夫々の上端部の中央に位置する形状とされており、更に、縦仕切壁２ａと横仕切壁３ａとの夫々の上端の全長にわたって形成されている。
【００１８】
このように、各区画部を形成する縦仕切壁２ａと横仕切壁３ａとの上端部にＶ字状の切欠き８が形成されていることにより、図３に示すように、胴部１１に表示ラベル１２が貼着されている瓶体１０を区画部に収容するとき、表示ラベル１２の損傷を防止することができる。
【００１９】
即ち、胴部１１に表示ラベル１２が貼着された瓶体１０を区画部に収容するとき、表示ラベル１２の下縁がＶ字状の切欠き８の傾斜縁８ａに接するので、表示ラベル１２の下縁の縦仕切壁２ａの上端或いは横仕切壁３ａの上端への引っ掛かりを防止することができる。これにより、表示ラベル１２に捲れや皺付き等を発生させることなく、瓶体１０を区画部に収容することができる。
【００２０】
更に、Ｖ字状の切欠き８が縦仕切壁２ａと横仕切壁３ａとの夫々の上端の全長にわたって形成されていることにより、区画部に対応する形状の角柱状の胴部１１を有する瓶体１０であっても、この角柱状の胴部１１に貼着された表示ラベル１２の損傷を防止することができる。
【００２１】
また、瓶体１０の胴部１１が円柱状であっても、円柱状の胴部１１に貼着されている表示ラベル１２は、縦仕切壁２ａ或いは横仕切壁３ａの上端の略中央部に当接するので、表示ラベル１２の下縁は確実に切欠き８の傾斜縁８ａに接し、円柱状の胴部１１に貼着された表示ラベル１２の損傷も確実に防止することができる。
【００２２】
なお、区画部に円柱状の胴部１１の瓶体１０を収容するのであれば、例えば、図４（ａ）及び図４（ｂ）に示すように、切欠き８の底部８ｂが各仕切壁２ａ，３ａの上端部の中央に位置していれば、切欠き８が、各仕切壁２ａ，３ａの上端の全長にわたって形成されていなくてもよい。
【００２３】
また、本実施形態においては、縦仕切板２の第１係合スリット４の突起５が横仕切板３の係止孔７に係止されることにより縦仕切板２からの横仕切板３の外れを防止したものを示したが、突起５及び係止孔７は設けなくてもよい。
【００２４】
また、本考案の仕切体は、前記Ｖ字状の切欠き８が形成されていれば、例えば、縦仕切板と横仕切板とを同数設けて構成してもよい。また、縦仕切板と横仕切板との長さ寸法を同一としてもよい。
【符号の説明】
【００２５】
１…仕切体、２…縦仕切板、３…横仕切板、２ａ，３ａ…仕切壁、８…切欠き、８ａ…傾斜縁、８ｂ…底部。
【図１】
0003164922.tif 000003
【図２】
0003164922.tif 000004
【図３】
0003164922.tif 000005
【図４】
0003164922.tif 000006